【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
識別情報としての端末固有のＩＰアドレスと、位置情報としてのＩＰアドレスとを対応づけて位置登録する位置管理装置にパケットを転送するゲートウェイを有してネットワークベースの移動管理が行われるホームリンクと、前記ホームリンク及び前記ホームリンク以外の外部リンクに接続可能な移動通信端末であって、
他の端末と通信を行うために用いられる第２のＩＰアドレスが割り当てられており、
前記第２のＩＰアドレスを識別情報とする位置登録要求を前記位置管理装置に送信せずにホームリンクに接続し、
ホームリンクへの接続時に、前記第２のＩＰアドレスを識別情報とし、前記ゲートウェイのＩＰアドレスである第３のＩＰアドレスを位置情報とする位置登録要求を前記位置管理装置に送信させるよう前記ゲートウェイに要求し、
前記外部リンクから第１のＩＰアドレスを取得し、
前記取得された第１のＩＰアドレスを位置情報とし、前記第２のＩＰアドレスを識別情報とする位置登録要求を前記位置管理装置に外部リンクを経由して送信することを特徴とする移動通信端末。
【請求項２】
前記ホームリンク又は前記外部リンクには、他の通信端末が接続されており、
前記ホームリンクに接続している状態で、前記外部リンクに接続し、前記第２のＩＰアドレスを用いて前記他の通信端末と通信することを特徴とする請求項１に記載の移動通信端末。
【請求項３】
前記ホームリンク又は前記外部リンクには、他の通信端末が接続されており、
前記外部リンクに接続している状態で、前記ホームリンクに接続し、前記第２のＩＰアドレスを用いて前記他の通信端末と通信することを特徴とする請求項１に記載の移動通信端末。
【請求項４】
複数の送受信部を有しており、前記ホームリンクに接続する場合と、前記外部リンクへ接続する場合とでは異なる送受信部を介して接続することを特徴とする請求項１から３のいずれか一項に記載の移動通信端末。
【請求項５】
ゲートウェイを有してネットワークベースの移動管理が行われるホームリンクと、前記ホームリンク以外の外部リンクとに接続可能で、識別情報としての端末固有のＩＰアドレスと、位置情報としてのＩＰアドレスとを対応づけて位置登録する位置管理装置であって、
前記ゲートウェイから、前記ゲートウェイのＩＰアドレスである第３のＩＰアドレスと、前記ゲートウェイに接続される移動通信端末が他の端末と通信を行うために用いる第２のＩＰアドレスを受信し、
前記第３のＩＰアドレスを位置情報とし、前記第２のＩＰアドレスを識別情報として対応付けて登録し、
前記ホームリンク及び前記ホームリンク以外の外部リンクに接続可能な移動通信端末が前記ホームリンクに接続している状態で、前記外部リンクから取得した第１のＩＰアドレスと、前記第２のＩＰアドレスとを外部リンク経由で受信し、
前記移動通信端末が前記ホームリンクに接続している状態で、前記第１のＩＰアドレスを位置情報とし、前記第２のＩＰアドレスを識別情報として対応付けて登録することを特徴とする位置管理装置。
【請求項６】
識別情報としての端末固有のＩＰアドレスと、位置情報としてのＩＰアドレスとを対応づけて位置登録する位置管理装置にパケットを転送するゲートウェイを有してネットワークベースの移動管理が行われるホームリンクと、前記ホームリンク及び前記ホームリンク以外の外部リンクに接続可能な移動通信端末の通信方法であって、
他の端末と通信を行うために用いられる第２のＩＰアドレスが割り当てられており、
前記第２のＩＰアドレスを識別情報とする位置登録要求を前記位置管理装置に送信せずにホームリンクに接続するステップと、
前記外部リンクから第１のＩＰアドレスを取得し、
前記取得された第１のＩＰアドレスを位置情報とし、前記第２のＩＰアドレスを識別情報とする位置登録要求を前記位置管理装置に外部リンクを経由して送信するステップと、
を有することを特徴とする移動通信端末の通信方法。
【請求項７】
ゲートウェイを有してネットワークベースの移動管理が行われるホームリンクと、前記ホームリンク以外の外部リンクとに接続可能で、識別情報としての端末固有のＩＰアドレスと、位置情報としてのＩＰアドレスとを対応づけて位置登録する位置管理装置の登録方法であって、
前記ゲートウェイから、前記ゲートウェイのＩＰアドレスである第３のＩＰアドレスと、前記ゲートウェイに接続される移動通信端末を識別する第２のＩＰアドレスを受信するステップと、
前記第３のＩＰアドレスを、前記第２のＩＰアドレスに対応付けて登録するステップと、
前記ホームリンク及び前記ホームリンク以外の外部リンクに接続可能な移動通信端末が前記ホームリンクに接続している状態で、前記外部リンクから取得した第１のＩＰアドレスと、前記第２のＩＰアドレスとを外部リンク経由で受信するステップと、
前記移動通信端末が前記ホームリンクに接続している状態で、前記第１のＩＰアドレスを前記第２のＩＰアドレスに対応付けて登録するステップと、
を有することを特徴とする位置管理装置の登録方法。
【手続補正２】
【補正対象書類名】明細書
【補正対象項目名】００３４
【補正方法】変更
【補正の内容】
【００３４】
上記課題を解決するために、本発明の移動通信端末は、
識別情報としての端末固有のＩＰアドレスと、位置情報としてのＩＰアドレスとを対応づけて位置登録する位置管理装置にパケットを転送するゲートウェイを有してネットワークベースの移動管理が行われるホームリンクと、前記ホームリンク及び前記ホームリンク以外の外部リンクに接続可能な移動通信端末であって、
他の端末と通信を行うために用いられる第２のＩＰアドレスが割り当てられており、
前記第２のＩＰアドレスを識別情報とする位置登録要求を前記位置管理装置に送信せずにホームリンクに接続し、
ホームリンクへの接続時に、前記第２のＩＰアドレスを識別情報とし、前記ゲートウェイのＩＰアドレスである第３のＩＰアドレスを位置情報とする位置登録要求を前記位置管理装置に送信させるよう前記ゲートウェイに要求し、
前記外部リンクから第１のＩＰアドレスを取得し、
前記取得された第１のＩＰアドレスを位置情報とし、前記第２のＩＰアドレスを識別情報とする位置登録要求を前記位置管理装置に外部リンクを経由して送信することを特徴とする。
【手続補正３】
【補正対象書類名】明細書
【補正対象項目名】００３５
【補正方法】変更
【補正の内容】
【００３５】
本発明の位置管理装置は、
ゲートウェイを有してネットワークベースの移動管理が行われるホームリンクと、前記ホームリンク以外の外部リンクとに接続可能で、識別情報としての端末固有のＩＰアドレスと、位置情報としてのＩＰアドレスとを対応づけて位置登録する位置管理装置であって、
前記ゲートウェイから、前記ゲートウェイのＩＰアドレスである第３のＩＰアドレスと、前記ゲートウェイに接続される移動通信端末が他の端末と通信を行うために用いる第２のＩＰアドレスを受信し、
前記第３のＩＰアドレスを位置情報とし、前記第２のＩＰアドレスを識別情報として対応付けて登録し、
前記ホームリンク及び前記ホームリンク以外の外部リンクに接続可能な移動通信端末が前記ホームリンクに接続している状態で、前記外部リンクから取得した第１のＩＰアドレスと、前記第２のＩＰアドレスとを外部リンク経由で受信し、
前記移動通信端末が前記ホームリンクに接続している状態で、前記第１のＩＰアドレスを位置情報とし、前記第２のＩＰアドレスを識別情報として対応付けて登録することを特徴とする。
【手続補正４】
【補正対象書類名】明細書
【補正対象項目名】００３６
【補正方法】変更
【補正の内容】
【００３６】
本発明の移動通信端末の通信方法は、
識別情報としての端末固有のＩＰアドレスと、位置情報としてのＩＰアドレスとを対応づけて位置登録する位置管理装置にパケットを転送するゲートウェイを有してネットワークベースの移動管理が行われるホームリンクと、前記ホームリンク及び前記ホームリンク以外の外部リンクに接続可能な移動通信端末の通信方法であって、
他の端末と通信を行うために用いられる第２のＩＰアドレスが割り当てられており、
前記第２のＩＰアドレスを識別情報とする位置登録要求を前記位置管理装置に送信せずにホームリンクに接続するステップと、
前記外部リンクから第１のＩＰアドレスを取得し、
前記取得された第１のＩＰアドレスを位置情報とし、前記第２のＩＰアドレスを識別情報とする位置登録要求を前記位置管理装置に外部リンクを経由して送信するステップと、
を有することを特徴とする。
【手続補正５】
【補正対象書類名】明細書
【補正対象項目名】００３７
【補正方法】変更
【補正の内容】
【００３７】
本発明の位置管理装置の登録方法は、
ゲートウェイを有してネットワークベースの移動管理が行われるホームリンクと、前記ホームリンク以外の外部リンクとに接続可能で、識別情報としての端末固有のＩＰアドレスと、位置情報としてのＩＰアドレスとを対応づけて位置登録する位置管理装置の登録方法であって、
前記ゲートウェイから、前記ゲートウェイのＩＰアドレスである第３のＩＰアドレスと、前記ゲートウェイに接続される移動通信端末を識別する第２のＩＰアドレスを受信するステップと、
前記第３のＩＰアドレスを、前記第２のＩＰアドレスに対応付けて登録するステップと、
前記ホームリンク及び前記ホームリンク以外の外部リンクに接続可能な移動通信端末が前記ホームリンクに接続している状態で、前記外部リンクから取得した第１のＩＰアドレスと、前記第２のＩＰアドレスとを外部リンク経由で受信するステップと、
前記移動通信端末が前記ホームリンクに接続している状態で、前記第１のＩＰアドレスを前記第２のＩＰアドレスに対応付けて登録するステップと、
を有することを特徴とする。
【手続補正６】
【補正対象書類名】明細書
【補正対象項目名】００３８
【補正方法】削除
【補正の内容】
【手続補正７】
【補正対象書類名】明細書
【補正対象項目名】００３９
【補正方法】削除
【補正の内容】
【手続補正８】
【補正対象書類名】明細書
【補正対象項目名】００４０
【補正方法】削除
【補正の内容】
【手続補正９】
【補正対象書類名】明細書
【補正対象項目名】００４１
【補正方法】削除
【補正の内容】